(57)【特許請求の範囲】
【請求項１】
上方に位置する画像読取部と下方に位置する画像形成部の間に設けられ、画像形成された用紙が排出される排紙部の底壁をなす部位に、前記画像形成部内にアクセス可能な開口を形成し、該開口に開閉可能な扉装置を配置し、
前記扉装置は、２枚の扉材から構成され、各扉材は上下方向に回動して前記開口を観音開きで開閉し、
前記排紙部の最奥側で前記画像読取部と前記画像形成部を連結する壁部に、回動開閉する前記２枚の扉材の開閉軌跡を規定するとともに、開いた前記扉材を前記開口の上側で係止し、該開放状態を保つ案内手段を設けた
ことを特徴とする画像形成装置の排紙部構造。
【請求項２】
前記扉材の少なくとも一方は、２枚の扉部材をヒンジ部で折り曲げ可能に形成したことを特徴とする請求項１の画像形成装置の排紙部構造。
【請求項３】
前記扉材が透明あるいは半透明部材で形成されていることを特徴とする請求項１または２の画像形成装置の排紙部構造。
【請求項４】
請求項１ないし３のいずれかの画像形成装置の排紙部構造を備えたことを特徴とする画像形成装置。
【請求項５】
ジェルインクジェット型の画像形成部を備えたことを特徴とする請求項４の画像形成装置。
【発明の詳細な説明】
【技術分野】
【０００１】
本発明は、画像形成装置の排紙部構造、及び画像形成装置に関する。
【背景技術】
【０００２】
画像形成装置として、スキャナ、コピー、プリンタを兼ねた複合装置があり、このような複合装置として上部に画像読取部、下部に作像部及び給紙部を備え、画像読取部と作像部との間に画像形成した用紙を排出するいわゆる胴内排紙型のものがある。
【０００３】
このような画像形成装置において、作像部では用紙を作像装置内を移動させ、用紙表面に画像を形成する。このような作像処理中に用紙が作像装置内でジャム状態となることがあり、このような場合には、作像部から用紙を取り出す必要がある。このような用紙の取り出しに際してはその操作がなるべく良好であることが望ましい。
【０００４】
特許文献１には、簡単な構成で用紙の取り出し性が良好とするため、上部排紙トレイが胴内空間部内を昇降可能とし、折りたたみ可能な構成とし、さらに胴内空間部内に収容部を設け、上部排紙トレイを収容可能にしたものが記載されている。
【特許文献１】特開２００３−２６７６１４
【発明の開示】
【発明が解決しようとする課題】
【０００５】
しかしながら、近年画像形成装置として、作像部にインクジェット方式の装置を採用するものがある。このようなインクジェット方式の作像部では、インクの擦れを発生させないため、用紙を作像部から搬送する前に用紙に噴射したインクを乾燥させる必要がある。
このため、作像部における用紙搬送経路が長くなり、この長い用紙搬送路のどこに用紙があっても取り出しができるよう、胴内排紙部からの取り出し開口部をできるだけ広くすることが望まれる。
【０００６】
そこで、本発明は、簡単な構成で狭い胴内排紙部にできるだけ広い用紙取り出し開口部を形成することができる画像形成装置の排紙部構造及び画像形成装置を提供することを目的とする。
【課題を解決するための手段】
【０００７】
請求項１の発明は、上方に位置する画像読取部と下方に位置する画像形成部の間に設けられ、画像形成された用紙が排出される排紙部の底壁をなす部位に、前記画像形成部内にアクセス可能な開口を形成し、該開口に開閉可能な扉装置を配置し、前記扉装置は、２枚の扉材から構成され、各扉材は上下方向に回動して前記開口を観音開きで開閉し、前記排紙部の最奥側で前記画像読取部と前記画像形成部を連結する壁部に、回動開閉する前記２枚の扉材の開閉軌跡を規定するとともに、開いた前記扉材を前記開口の上側で係止し、該開放状態を保つ案内手段を設けたことを特徴とする画像形成装置の排紙部構造である。
【０００８】
請求項２の発明は、請求項１の画像形成装置の排紙部構造において、前記扉材の少なくとも一方は、２枚の扉部材をヒンジ部で折り曲げ可能に形成したことを特徴とする。
【０００９】
請求項３の発明は、請求項１または２の画像形成装置の排紙部構造において、前記扉材が透明あるいは半透明部材で形成されていることを特徴とする。
【００１５】
請求項４の発明は、請求項１ないし３のいずれかの排紙部構造を備えたことを特徴とする画像形成装置である。
【００１６】
請求項５の発明は、請求項４の画像形成装置において、ジェルインクジェット型の画像形成部を備えたことを特徴とする。
【発明の効果】
【００１７】
本発明に係る画像形成装置の排紙部構造及び画像形成装置によれば、簡単な構成で狭い胴内排紙部に広い用紙取り出し開口部を形成することができるという効果がある。
【発明を実施するための最良の形態】
【００１８】
以下本発明を実施するための最良の形態としての実施例を図面に基づいて説明する。
【実施例】
【００１９】
図１は実施例に係る画像形成装置の斜視図、図２は図１に示した画像形成装置の正面図、図３は図１に示した画像形成装置の側面図である。
【００２０】
画像形成装置１００は、図１ないし図３に示すように、ジェルインクジェット方式の画像形成装置を備えた作像部１１０と、この作像部１１０の下方に配置され４つの給紙トレイ１２１、１２２，１２３，１２４を備えた給紙部１２０と、前記作像部１１０の上方に設けられた画像読取部１３０と、前記作像部１１０と画像読取部１３０との間に設けられた排紙部１４０とを備える。作像部１１０と画像読取部１３０とは、作像部１１０及び画像読取部１３０の左側の辺を連結する左側連結部１５０、奥側の辺を連結する奥側連結部１６０と、手前右側を連結する右側連結部１７０と、操作部１８０とを備える。
【００２１】
次に本例に係る画像形成装置の排紙部１４０の構造について説明する。図４は図１に示した画像形成装置の排紙部扉の閉状態を示す平面図、図５は図１に示した画像形成装置の排紙部扉の閉状態を示す斜視図、図６は図１に示した画像形成装置の排紙部扉の開状態を示す平面図、図７は図１に示した画像形成装置の排紙部扉の開状態を示す斜視図である。なお、各図においては、画像読取部の自動原稿送り装置は取り外して示してある。
【００２２】
本例では排紙部１４０の下部であって作像部１１０の上壁を形成する個所には、図７に示すように、作像部１１０の作像装置１１１内の用紙を取り出すための開口部２３０が形成されている。
【００２３】
そして、この開口部２３０は図４及び図５に示すように、扉装置２００で開閉可能に被われている。この扉装置２００は、透明あるいは半透明の合成樹脂で形成された右扉材２１０と左扉材２２０とで観音開きとなるよう構成されている。これらの右扉材２１０及び左扉材２２０は閉状態でその端部を重ね、開口部２３０を完全に被って排紙部１４０の底壁をなす。
【００２４】
右扉材２１０は、図６及び図７に示すように、開口部２３０の左縁に設けられたヒンジ部２１１を軸として上方に向け回動する。また、左扉材２２０は開口部２３０の右縁に設けられたヒンジ部２２４を軸として上方に向け回動する第１扉部材２２１と、この第１扉部材２２１の先端に軸２２３で回動可能に取付けられた第２扉部材２２２とで構成されている。
【００２５】
本例では、第１扉部材２２１は、開状態において右側に完全に倒れるように構成されている。また、本例では、奥側連結部１６０には、所定形状の案内レール２５０が設けられており、前記左扉材２２０の第１扉部材２２１先端を案内する。このため、左扉材２２０は常に案内レール２５０に案内され同一の軌跡で開閉する。さらに、案内レール２５０は、図７に示すように、前記左扉材２２０が開状態のとき、開口部２３０が開いた状態になるよう左扉材２２０を安定的に固定する。
【００２６】
従って本例によれば、扉装置２００を構成する右扉材２１０及び左扉材２２０を透して作像装置１１１の通紙状態を確認することができるほか、扉装置２００を観音開きとできるほか、左扉材２２０を第１扉部材２２１，第２扉部材２２２で構成し、案内レール２５０で案内したので排紙部１４０に大きな開口部２３０を形成することができ、扉装置２００の開放状態において、右扉材２１０及び左扉材２２０が開状態を保つので作像装置１１１から用紙を取り出す等の作業を行うときに扉装置２００が邪魔にならない。
【図面の簡単な説明】
【００２７】
【図１】実施例に係る画像形成装置の斜視図正面図である。
【図２】図１に示した画像形成装置の正面図である。
【図３】図１に示した画像形成装置の側面図である。
【図４】図１に示した画像形成装置の排紙部扉の閉状態を示す平面図である。
【図５】図１に示した画像形成装置の排紙部扉の閉状態を示す斜視図である。
【図６】図１に示した画像形成装置の排紙部扉の開状態を示す平面図である。
【図７】図１に示した画像形成装置の排紙部扉の開状態を示す斜視図である。
【符号の説明】
【００２８】
１００・・・画像形成装置
１１０・・・作像部
１１１・・・作像装置
１２０・・・給紙部
１２１、１２２，１２３，１２４・・・給紙トレイ
１３０・・・画像読取部
１４０・・・排紙部
１５０・・・左側連結部
１６０・・・奥側連結部
１７０・・・右側連結部
１８０・・・操作部
２００・・・扉装置
２１０・・・右扉材
２１１・・・ヒンジ部
２２０・・・左扉材
２２１・・・第１扉部材
２２２・・・第２扉部材
２２３・・・軸
２２４・・・ヒンジ部
２３０・・・開口部
２５０・・・案内レール
【図１】
0004774266.tif 000002
【図２】
0004774266.tif 000003
【図３】
0004774266.tif 000004
【図４】
0004774266.tif 000005
【図５】
0004774266.tif 000006
【図６】
0004774266.tif 000007
【図７】
0004774266.tif 000008